(57)【要約】【課題】複雑な機械的構成を採用することなく、ヒンジ部分を備えず、安価に提供することができて、フォトフレームやポータブル液晶テレビジョン受像機のようなパネル状の画像表示装置のスタンドとして好適に使用することのできるディスプレイのスタンドを提供する。【解決手段】板面が異なる方向に向いた３つの板状部１１，１２，１３を有する構体１０と、各々の板状部１１，１２，１３をディスプレイＡの背面に個別に着脱するための着脱手段２０とを備える。第１板状部１１と第２板状部１２との開き角度を９０度とし、第１板状部１１と第３板状部１３との開き角度を１３５度とする。着脱手段２０は、ディスプレイ側のねじ軸２１と、３つの板状部のそれぞれの孔部２２，２３，２４と、ナット体２５とでなる。【選択図】図１
2012191528.tif 000002
【特許請求の範囲】
【請求項１】
ディスプレイの設置姿勢を変化させる機能を備えたディスプレイのスタンドにおいて、
板面が異なる方向に向いた複数の板状部を有する構体と、各々の上記板状部を上記ディスプレイの背面に対して個別に着脱するための着脱手段と、を備えていることを特徴とするディスプレイのスタンド。
【請求項２】
構体に具備された複数の上記板状部が、第１、第２及び第３の３つの矩形の板状部でなり、第１板状部を挟む両側に第２及び第３の板状部が位置し、第１板状部の一端側辺に第２板状部が連設され、その反対側の他端側辺に第３板状部が連設されていて、第２及び第３の各板状部の両方が第１板状部の背面方向へ延び出ている請求項１に記載したディスプレイのスタンド。
【請求項３】
第１板状部と第２板状部との開き角度が９０度であり、第１板状部と第３板状部との開き角度が１３５度である請求項２に記載したディスプレイのスタンド。
【請求項４】
上記着脱手段が、ディスプレイ側に設けられたねじ軸と、複数の上記板状部のそれぞれに開設されて上記ねじ軸が挿通される孔部と、この孔部に挿通された上記ねじ軸にねじ込まれて上記板体をディスプレイに固定するナット体、とを備える請求項１ないし請求項３のいずれか１項に記載したディスプレイのスタンド。
【発明の詳細な説明】
【技術分野】
【０００１】
本発明は、ディスプレイのスタンド、詳しくは、フォトフレームやポータブル液晶テレビジョン受像機のようなパネル状の画像表示装置の設置角度を、使用環境などに応じて多段に変化させることのできるディスプレイのスタンドに関する。
【背景技術】
【０００２】
従来、平面型ディスプレイの側面に連結アームを揺動自在に取り付け、この連結アームの自由端に設けたボスを、基台の側板に具備させた複数の切欠き溝から選択した１つの切欠き溝に係合させることによって、上記平面型ディスプレイの設置角度を変化させるようにした支持装置が提案されていた（たとえば、特許文献１参照）。
【０００３】
また、液晶テレビジョン受像機の小型物品を乗せ掛けて設置するための保持台として、薄肉ヒンジを介して連設した下板及び上板と、上板に薄肉ひんじを介して具備させた支持辺部と、を有するものが知られていた（たとえば、特許文献２参照）。さらに、折畳み式の掲示具（たとえば、特許文献３参照）や、手書き入力装置の装置本体のスタンドとして機能する折畳み式のカバー（たとえば、特許文献４参照）なども知られていた。さらに、薄紙片などの自立性を有しないシート状物に自立性を付与させる機能を備えたシート状物起立具についての提案もなされていた（たとえば、特許文献５参照）。
【先行技術文献】
【特許文献】
【０００４】
【特許文献１】実用新案登録第２５５２５５６号公報
【特許文献２】実用新案登録第２５８７４７４号公報
【特許文献３】特許第３２４１０１４号公報
【特許文献４】特開２００６−１５５０５０号公報
【特許文献５】特開２０００−７１６６２号公報
【発明の概要】
【発明が解決しようとする課題】
【０００５】
しかしながら、特許文献１の支持装置は、その機械的構成が複雑で、価格が高くつくという問題があった。また、特許文献２や特許文献３、特許文献４のような折畳み式のものは、ヒンジ部分が破断しやすいという問題があった。さらに、特許文献５のものは、フォトフレームやポータブル液晶テレビジョン受像機のようなパネル状の画像表示装置のスタンドとして使用することが不可能である。
【０００６】
本発明は、以上の問題点や状況に鑑みてなされたものであり、複雑な機械的構成を採用することなく、ヒンジ部分を備えず、安価に提供することができて、フォトフレームやポータブル液晶テレビジョン受像機のようなパネル状の画像表示装置のスタンドとして好適に使用することのできるディスプレイのスタンドを提供することを目的とする。
【課題を解決するための手段】
【０００７】
本発明に係るディスプレイのスタンドは、ディスプレイの設置姿勢を変化させる機能を備えたディスプレイのスタンドにおいて、板面が異なる方向に向いた複数の板状部を有する構体と、各々の上記板状部を上記ディスプレイの背面に対して個別に着脱するための着脱手段と、を備えている。ここで、構体とは、それ事態の形状が一定に定まっていて、ユーザがその形状を変えることのできない構造体のことである。
【０００８】
この発明によると、構体の複数の板状部を選択して、選択した板状部にディスプレイを着脱手段によって装着することができる。そして、特定の板状部に装着されたディスプレイ及び構体のいずれかの板状部、または、ディスプレイが装着された板状部及び他の板状部をテーブル面や棚面、床面などに立て掛けると、ディスプレイが一定の設置角度で支持される。ディスプレイを装着する板状部を変えることによってその設置角度も変わる。さらに、構体の複数の板状部のうち、ディスプレイが装着されていない板状部を壁面に取り付けることも可能であり、そのようにすると、ディスプレイを壁掛けタイプとして使用することも可能になる。
【０００９】
本発明では、構体に具備された複数の上記板状部が、第１、第２及び第３の３つの矩形の板状部でなり、第１板状部を挟む両側に第２及び第３の板状部が位置し、第１板状部の一端側辺に第２板状部が連設され、その反対側の他端側辺に第３板状部が連設されていて、第２及び第３の各板状部の両方が第１板状部の背面方向へ延び出ている、という構成を採用することが可能である。また、第１板状部と第２板状部との開き角度が９０度であり、第１板状部と第３板状部との開き角度が１３５度である、という構成を採用することも可能である。
【００１０】
さらに、上記着脱手段が、ディスプレイ側に設けられたねじ軸と、複数の上記板状部のそれぞれに開設されて上記ねじ軸が挿通される孔部と、この孔部に挿通された上記ねじ軸にねじ込まれて上記板体をディスプレイに固定するナット体、とを備える、という構成を採用することも可能である。
【発明の効果】
【００１１】
本発明に係るディスプレイのスタンドは、板面が異なる方向に向いた複数の板状部を有する構体と、各々の上記板状部を上記ディスプレイの背面に対して個別に着脱するための着脱手段と、を備えているだけであって、特許文献１に見られるような複雑な機械的構成を採用する必要がなく、また、特許文献２や特許文献３、特許文献４に見られるようなヒンジ部分を備えていないので、耐久性に優れ、しかも、安価に提供することができる。そして、１つのスタンドでディスプレイを複数の角度に支持させることができ、また、テーブルなどの上に置いたり壁掛け式にしたりすることも可能であるので、ユーザにとっては、様々な使用環境に対応することが可能になるという利点がある。
【図面の簡単な説明】
【００１２】
【図１】本発明の実施形態に係るスタンドとディスプレイとを示した分解斜視図である。
【図２】構体の側面図である。
【図３】使用状態の説明図である。
【図４】他の使用状態の説明図である。
【図５】さらに他の使用状態の説明図である。
【図６】さらに他の使用状態の説明図である。
【図７】さらに他の使用状態の説明図である。
【図８】さらに他の使用状態の説明図である。
【図９】着脱手段の変形例を示した説明図である。
【図１０】着脱手段の他の変形例を示した説明図である。
【発明を実施するための形態】
【００１３】
図１は本発明の実施形態に係るスタンドＳとディスプレイとを示した分解斜視図、図２は構体の側面図である。
【００１４】
この実施形態において、スタンドＳは、樹脂成形体又は板金で製作された構体１０と、この構体１０にディスプレイＡを着脱するための着脱手段２０とを備えている。構体１０は、板面が異なる方向に向いた第１、第２及び第３の３つの板状部１１，１２，１３を有していて、各々の板状部１１，１２，１３はいずれも矩形に形成されている。これらの板状部１１，１２，１３のうち、第２及び第３の板状部１２，１３は、第１板状部１１を挟む両側に位置している。具体的には、第１板状部１１の一端側辺１１ａに第２板状部１２が連設され、その反対側の他端側辺１１ｂに第３板状部１３が連設されている。
【００１５】
このような構体１０は、複雑な機械的構成を有さず、ヒンジ部分も備えていないので、耐久性に優れ、安価に提供することができる。
【００１６】
図２に示したように、構体１０の第２及び第３の各板状部１２，１３は、いずれも、第１板状部１１の背面方向（矢印Ｘ）へ延び出ている。また、この実施形態では、第１板状部１１と第２板状部１２との開き角度θ１が９０度、第１板状部１１と第３板状部１３との開き角度θ２が１３５度に定められている。
【００１７】
図１のように、図例の着脱手段２０は、ディスプレイの背面の中央部又は略中央部に後向きに突出状態で設けられたねじ軸２１と、構体１０を形成している第１、第２及び第３の各板状部１１，１２，１３のそれぞれの中央部又は略中央部に開設された孔部２２，２３，２４と、３つの孔部２２，２３，２４のいずれかに挿通された上記ねじ軸２１にねじ込まれるナット体２５と、を備えている。
【００１８】
図２に示したディスプレイＡは、表示画面を横長又は縦長に姿勢変更して使用することのできるフォトフレームでなる。
【００１９】
次に、スタンドＳの様々な使用状態を図３〜図８を参照して説明する。
【００２０】
図３は使用状態の説明図である。同図の事例では、着脱手段２０を用いて構体１０の第１板状部１１にディスプレイＡが縦長姿勢で装着されている。ディスプレイＡを第１板状部１１に装着するには、たとえば、図１によって判るように、ディスプレイＡ側に設けられているねじ軸２１を、構体１０の第１板状部１１の孔部２２に挿通させた後、ディスプレイＡを縦長姿勢にすることと、ナット体２５をそのねじ軸２１にねじ込んで締め付けること、とを行えばよい。この取付け作業を行うと、第１板状部１１にディスプレイＡの背面が重なり合って固定される。
【００２１】
ディスプレイＡに構体１０を上記のように装着した後、図３のように、テーブル面などの載置面１００の上に、構体１０の第３板状部１３の下側の端縁とディスプレイＡの下側の端縁とを立て掛けると、ディスプレイＡが載置面１００の上で、起立姿勢に近い縦長傾斜状態に設置される。
【００２２】
図４は他の使用状態の説明図である。同図の事例では、着脱手段２０を用いて構体１０の第３板状部１３にディスプレイＡが縦長姿勢で装着されている。ディスプレイＡを第３板状部１３に装着するには、ディスプレイＡ側に設けられているねじ軸２１を、第３板状部１３の孔部２４に挿通させた後、ディスプレイＡを縦長姿勢にすることと、ナット体２５をそのねじ軸２１にねじ込んで締め付けること、とを行えばよい。この取付け作業を行うと、第３板状部１３にディスプレイＡの背面が重なり合って固定される。
【００２３】
ディスプレイＡに構体１０を上記のように装着した後、図４のように、テーブル面などの載置面１００の上に、構体１０の第２板状部１２を載置して着座させると、ディスプレイＡが構体１０により支持されて倒伏姿勢に近い縦長傾斜状態に設置される。
【００２４】
図５はさらに他の使用状態の説明図である。同図はディスプレイを壁掛け式として使用した事例を示している。この事例では、着脱手段２０を用いて構体１０の第３板状部１３にディスプレイＡが縦長姿勢で装着されている。ディスプレイＡを第３板状部１３に装着するには、上記したところと同様に、ディスプレイＡ側に設けられているねじ軸２１を、第３板状部１３の孔部２４に挿通させた後、ディスプレイＡを縦長姿勢にすることと、ナット体２５をそのねじ軸２１にねじ込んで締め付けること、とを行えばよい。この取付け作業を行うと、第３板状部１３にディスプレイＡの背面が重なり合って固定される。
【００２５】
ディスプレイＡに構体１０を上記のように装着した後、図５のように、壁面２００に、構体１０の第２板状部１２を固定すると、ディスプレイＡが構体１０により壁掛け状態で支持されて縦長下向き傾斜姿勢に設置される。なお、第２板状部１２を壁面２００に固定するには、第２板状部１２の孔部２３に挿通させた止具（ドリルねじなど）を壁面２００に打ち込むといった手段を採用することが可能である。また、第２板状部１２を壁面２００に接着剤で接合したり、面状ファスナーを用いて装着することも可能である。
【００２６】
図６はさらに他の使用状態の説明図である。同図の事例では、着脱手段２０を用いて構体１０の第３板状部１３にディスプレイＡが横長姿勢で装着されている。ディスプレイＡを第３板状部１３に装着するには、上記したところと同様に、ディスプレイＡ側に設けられているねじ軸２１を、第３板状部１３の孔部２４に挿通させた後、ディスプレイＡを横長姿勢にすることと、ナット体２５をそのねじ軸２１にねじ込んで締め付けること、とを行えばよい。この取付け作業を行うと、第３板状部１３にディスプレイＡの背面が重なり合って固定される。
【００２７】
ディスプレイＡに構体１０を上記のように装着した後、図６のように、テーブル面などの載置面１００の上に、構体１０の第２板状部１２の下側の端縁とディスプレイＡの下側の端縁とを立て掛けると、ディスプレイＡが載置面１００の上で、横長傾斜状態に設置される。
【００２８】
図７はさらに他の使用状態の説明図である。同図の事例では、着脱手段２０を用いて構体１０の第２板状部１２にディスプレイＡが横長姿勢で装着されている。ディスプレイＡを第２板状部１２に装着するには、上記したところと同様に、ディスプレイＡ側に設けられているねじ軸２１を、第２板状部１２の孔部２３に挿通させた後、ディスプレイＡを横長姿勢にすることと、ナット体２５をそのねじ軸２１にねじ込んで締め付けること、とを行えばよい。この取付け作業を行うと、第３板状部１３にディスプレイＡの背面が重なり合って固定される。
【００２９】
ディスプレイＡに構体１０を上記のように装着した後、図７のように、テーブル面などの載置面１００の上に、構体１０の第３板状部１３の下側の端縁とディスプレイＡの下側の端縁とを立て掛けると、ディスプレイＡが載置面１００の上で、横長傾斜状態に設置される。
【００３０】
図８はさらに他の使用状態の説明図である。同図の事例では、着脱手段２０を用いて構体１０の第１板状部１１にディスプレイＡが横長姿勢で装着されている。ディスプレイＡを第１板状部１１に装着するには、上記したところと同様に、ディスプレイＡ側に設けられているねじ軸２１を、第１板状部１１の孔部２２に挿通させた後、ディスプレイＡを横長姿勢にすることと、ナット体２５をそのねじ軸２１にねじ込んで締め付けること、とを行えばよい。この取付け作業を行うと、第１板状部１１にディスプレイＡの背面が重なり合って固定される。
【００３１】
ディスプレイＡに構体１０を上記のように装着した後、図８のように、テーブル面などの載置面１００の上に、構体１０の第２板状部１２の下側の端縁とディスプレイＡの下側の端縁とを立て掛けると、ディスプレイＡが載置面１００の上で、横長傾斜状態に設置される。
【００３２】
以上説明した実施形態では、構体１０が第１、第２及び第３の３つの板状部１１，１２，１３を備えているけれども、この点は、構体が３つより多い板状部を備えていてもよく、そのような構体であると、ディスプレイの姿勢をさらに多様に変えることが可能になる。また、着脱手段２０は図例に限定されない。たとえば、ディスプレイ側のフックとそのフックが係合される板状部側の孔部によって構成することも可能である。さらに、ディスプレイ側と板状部側とに貼り付けた互いに着脱される面状ファスナによって構成することも可能である。
【００３３】
図９は着脱手段２０の変形例を示した説明図である。この着脱手段２０は、図１に示した円形の孔部２２，２３，２４のそれぞれを、長円形の孔部２２，２３，２４に置き換えたものである。この変形例によると、長円形の孔部２２，２３，２４の長手方向にねじ軸２１の位置を変更することができる。そのため、各板状部１１，１２，１３に対してディスプレイの装着位置を孔部２２，２３，２４の長手方向に変更することが可能になる。したがって、ディスプレイの下側の端縁をテーブル面などの上に立て掛けたときのディスプレイの傾斜角度も変わるようになる。
【００３４】
図１０は着脱手段２０の他の変形例を示した説明図である。この着脱手段２０は、図１に示した円形の孔部２２，２３，２４のそれぞれを、長四角形状の孔部２２，２３，２４に置き換え、かつ、ねじ軸２１の根元に、上記長四角形状の孔部２２，２３，２４に回転不能に嵌合される四角形の座部２５を設けたものである。この変形例によると、長四角形状の孔部２２，２３，２４の長手方向にねじ軸２１の位置を変更することができるため、各板状部１１，１２，１３に対してディスプレイの装着位置を孔部２２，２３，２４の長手方向に変更することが可能になる。また、四角形状の座部２５と孔部２２，２３，２４のそれぞれとの嵌合構造によって、ディスプレイが板状部１１，１２，１３に対して回転しなくなるので、ディスプレイの姿勢が垂直縦長又は水平横長に正確に定まる。
【符号の説明】
【００３５】
Ａ  ディスプレイ
Ｓ  スタンド
１０  構体
１１  第１板状部
１１ａ  第１板状部の一端側辺
１１ｂ  第１板状部の他端側辺
１２  第２板状部
１３  第３板状部
２０  着脱手段
２１  ねじ軸
２２，２３，２４  孔部
２５  ナット
θ１，θ２  開き角度
【図１】
2012191528.tif 000003
【図２】
2012191528.tif 000004
【図３】
2012191528.tif 000005
【図４】
2012191528.tif 000006
【図５】
2012191528.tif 000007
【図６】
2012191528.tif 000008
【図７】
2012191528.tif 000009
【図８】
2012191528.tif 000010
【図９】
2012191528.tif 000011
【図１０】
2012191528.tif 000012